(57)【要約】      （修正有）【課題】連続した同一面や円形、球形等様々な形状の接点を持たせたり、吸着させたい磁性体の対象物を同時に且つ容易に接点を持たせたり吸着させることができるブリッジ型コイルを提供する。【解決手段】連続した巻き線１を有する磁性体の芯２を複数個任意の方向へ可動できるようにキャタピラ状の連続した磁性体のコマで接続するか、あるいは柔軟性のある磁性体３で接続する。【選択図】図１
0003188970.tif 000002
【実用新案登録請求の範囲】
【請求項１】
柔軟性のある磁性体を利用したことを特徴とするブリッジ型コイル。
【考案の詳細な説明】
【技術分野】
【０００１】
本考案は柔軟性のある磁性体を利用することにより、複数の接点を持たせたい、あるいは吸着させたい磁性体の対象物が振動したり固定されていない場合、または段差がある場合にその対象物を同時に且つ容易に接点を持たせたり、あるいは吸着させることが出来るブリッジ型コイルに関するものである。
【背景技術】
【０００２】
往来のコイルを利用した電磁石は電流の向きでの極性の変化や、コイルの巻数や電流量での磁力の変化あるいは通電時のみ磁力を持つという特性で様々な分野で利用されてきたが、接点を持たせたい、あるいは吸着させたい磁性体の対象物が振動したり固定されていない場合、または段差がある場合は、それらを同時に且つ容易に接点を持たせたり、あるいは吸着させることは非常に困難であるという問題があった。
【考案の開示】
【考案が解決しようとする課題】
【０００３】
本考案は、このような往来のコイルを利用した電磁石が有していた問題を解決しようというものであり、複数の接点を持たせたい、あるいは吸着させたい磁性体の対象物が振動したり固定されていない場合、または段差がある場合にその対象物を同時に且つ容易に接点を持たせたり、あるいは吸着させるために考えたものである。
【課題を解決するための手段】
【０００４】
上記の課題を解決するために、請求項1の本考案の柔軟性のある磁性体を利用したことを特徴とするブリッジ型コイルは、図1のようにコイルを柔軟性のある磁性体で連続して接続し、各々の接点や吸着面が互いに干渉されることなく可動出来ることを特徴とする。
【０００５】
さらに接点や吸着面に段差があったり、各々の形状が異なる場合でもコイルの大きさや形状を変えることで、各々の接点や吸着面が互いに干渉されることなく可動出来ることを特徴とする。
【考案の効果】
【０００６】
上述したように本考案では、電磁石に接点を持たせたり、吸着させたい振動したり固定されていない若しくは段差があったり形状の異なる磁性体の対象物を同時に且つ容易に接点を持たせたり、あるいは吸着させることが出来、往来の電磁石での問題を解決するという効果を発揮するものである。
【考案を実施するための最良の形態】
【０００７】
以下、本考案の実施形態を図1〜図12に基づいて説明する。
【０００８】
図1〜図12は本考案の実施形態に係り、図1〜図12は請求項1に関する基本図である。
【０００９】
図1は電磁石に接点を持たせたり、吸着させたい振動したり固定されていない若しくは段差があったり形状の異なる磁性体の対象物が上下に動く場合の基本形を正面から見た図である。図1に示すように本ブリッジ型コイルは接点を持たせたり、吸着させたい磁性体の対象物に接する連続した磁性体の芯を上下に柔軟に曲げることが出来る磁性体で接続する。
この時接続する柔軟性のある磁性体は折り曲げ加工をしてもよく、また必ずしも１枚の板でなくとも、キャタピラ状の連続した磁性体のコマでも可能である。
つまり、連続している長手方向に対して垂直方向に動かすことが出来ることが肝要である。
【００１０】
図5は電磁石に接点を持たせたり、吸着させたい振動したり固定されていない若しくは段差があったり形状の異なる磁性体の対象物が左右に動く場合の基本形を正面から見た図である。図5に示すように本ブリッジ型コイルは接点を持たせたり、吸着させたい磁性体の対象物に接する連続した磁性体の芯を左右に柔軟に曲げることが出来る磁性体で接続する。
この時接続する柔軟性のある磁性体は折り曲げ加工をしてもよく、また必ずしも１枚の板でなくとも、キャタピラ状の連続した磁性体のコマでも可能である。
つまり、連続している長手方向に対して水平方向に動かすことが出来ることが肝要である。
【００１１】
図9は電磁石に接点を持たせたり、吸着させたい振動したり固定されていない若しくは段差があったり形状の異なる磁性体の対象物が上下左右に動く場合の基本形を正面から見た図である。図9に示すように本ブリッジ型コイルは接点を持たせたり、吸着させたい磁性体の対象物に接する連続した磁性体の芯を上下左右に柔軟に曲げることが出来る磁性体で接続する。
この時接続する柔軟性のある磁性体は折り曲げ加工をしてもよく、また弾力性のある棒状やスプリング状の磁性体や若しくはコイルそのものでも可能である。
つまり、連続している長手方向に対して上下左右に動かすことが出来ることが肝要である
【実施例】
【００１２】
今までは困難であった連続した同一面や円形、球形等様々な形状の接点を持たせたり、吸着させたい磁性体の対象物を本ブリッジ型コイルを利用することで同時に且つ容易に接点を持たせたりあるいは吸着させることが出来る。
【特許文献１】特許公開  特開  2006-296669
【図面の簡単な説明】
【００１３】
【図１】本考案の請求項1の実施実態を示す正面図1
【図２】本考案の請求項1の実施実態を示す横面図1
【図３】本考案の請求項1の実施実態を示す上から見た平面図1
【図４】本考案の請求項1の実施実態を示す下から見た平面図1
【図５】本考案の請求項1の実施実態を示す正面図2
【図６】本考案の請求項1の実施実態を示す横面図2
【図７】本考案の請求項1の実施実態を示す上から見た平面図2
【図８】本考案の請求項1の実施実態を示す下から見た平面図2
【図９】本考案の請求項1の実施実態を示す正面図3
【図１０】本考案の請求項1の実施実態を示す横面図3
【図１１】本考案の請求項1の実施実態を示す上から見た平面図3
【図１２】本考案の請求項1の実施実態を示す下から見た平面図3
【符号の説明】
【００１４】
1  連続した巻線
2  磁性体の芯
3  上下方向に柔軟性のある磁性体
4  左右方向に柔軟性のある磁性体
5  上下左右に柔軟性のある磁性体
【図１】
0003188970.tif 000003
【図２】
0003188970.tif 000004
【図３】
0003188970.tif 000005
【図４】
0003188970.tif 000006
【図５】
0003188970.tif 000007
【図６】
0003188970.tif 000008
【図７】
0003188970.tif 000009
【図８】
0003188970.tif 000010
【図９】
0003188970.tif 000011
【図１０】
0003188970.tif 000012
【図１１】
0003188970.tif 000013
【図１２】
0003188970.tif 000014
【手続補正書】
【提出日】平成25年9月10日(2013.9.10)
【手続補正１】
【補正対象書類名】実用新案登録請求の範囲
【補正対象項目名】全文
【補正方法】変更
【補正の内容】
【実用新案登録請求の範囲】
【請求項１】
連続した巻き線を有する磁性体の芯を複数個任意の方向へ可動できるように接続
したこと、あるいは柔軟性のある磁性体で接続したことを特徴とするブリッジ型コイル。
【手続補正書】
【提出日】平成25年11月27日(2013.11.27)
【手続補正１】
【補正対象書類名】実用新案登録請求の範囲
【補正対象項目名】全文
【補正方法】変更
【補正の内容】
【実用新案登録請求の範囲】
【請求項１】
連続した巻き線を有する磁性体の芯を複数個任意の方向へ可動できるようにキャタピラ状の連続した磁性体のコマで接続したこと、あるいは柔軟性のある磁性体で接続したことを特徴とするブリッジ型コイル。